(57)【要約】【課題】撮影した画像を適切な電源管理で外部装置に送信すること。【解決手段】ＣＰＵ１１は、自動送信の延長可否の判断処理を行う第１の処理部と、自動送信の延長表示処理を行う第２の処理部と、延長のタイムアウト処理を行う第３の処理部と、延長時の電源キー押下の制御処理を行う第４の処理部と、を備える。【選択図】図３
2016178427.tif 000002
【特許請求の範囲】
【請求項１】
撮像手段により撮像された画像を外部装置に送信する撮影装置であって、
自動送信の延長可否の判断処理を行う第１の処理手段と、
自動送信の延長表示処理を行う第２の処理手段と、
延長のタイムアウト処理を行う第３の処理手段と、
延長時の電源キー押下の制御処理を行う第４の処理手段と、
を備えることを特徴とする撮影装置。
【請求項２】
撮像手段と、画像を外部装置に送信する送信手段と、を備える撮影装置で実行される送信制御方法であって、
自動送信の延長可否の判断処理を行う第１の処理と、
自動送信の延長表示処理を行う第２の処理と、
延長のタイムアウト処理を行う第３の処理と、
延長時の電源キー押下の制御処理を行う第４の処理と、
を含むことを特徴とする送信制御方法。
【請求項３】
撮像手段と、画像を外部装置に送信する送信手段と、を備える撮影装置を制御するコンピュータに、
自動送信の延長可否の判断処理を行う第１の処理機能、
自動送信の延長表示処理を行う第２の処理機能
延長のタイムアウト処理を行う第３の処理機能
延長時の電源キー押下の制御処理を行う第４の処理機能
を実現させることを特徴とするプログラム。
【発明の詳細な説明】
【技術分野】
【０００１】
本発明は、撮影装置、電源制御方法及びプログラムに関する。
【背景技術】
【０００２】
従来より、撮影装置により撮影された画像を、撮影した撮影装置だけではなく、他の外部装置でも活用することが行われている。特許文献１では、他の外部装置でも活用するために画像が撮影されると自動的に外部装置に送信する技術が開示されている。
【先行技術文献】
【特許文献】
【０００３】
【特許文献１】特開２００２−３４２４６５号公報
【発明の概要】
【発明が解決しようとする課題】
【０００４】
しかしながら、撮影装置に使用される撮像素子の画素数は年々多くなり、画像の品質が向上する一方、送信に時間がかかってしまうため、電池消耗が激しいという問題がある。
【０００５】
本発明は、このような状況に鑑みてなされたものであり、撮影した画像を適切な電源管理で外部装置に送信することを目的とする。
【課題を解決するための手段】
【０００６】
上記目的を達成するため、本発明の一態様の撮影装置は、
撮像手段により撮像された画像を外部装置に送信する撮影装置であって、
自動送信の延長可否の判断処理を行う第１の処理手段と、
自動送信の延長表示処理を行う第２の処理手段と、
延長のタイムアウト処理を行う第３の処理手段と、
延長時の電源キー押下の制御処理を行う第４の処理手段と、
を備えることを特徴とする。
【発明の効果】
【０００７】
本発明によれば、撮影した画像を適切な電源管理で外部装置に送信することができる。
【図面の簡単な説明】
【０００８】
【図１】本発明の一実施形態に係る画像転送システムのシステム構成を示すシステム構成図である。
【図２】本発明の一実施形態に係る撮影装置及び携帯端末装置のハードウェアの構成を示すブロック図である。
【図３】図２の撮影装置の機能的構成のうち、自動送信処理を実行するための機能的構成を示す機能ブロック図である。
【図４】図３の機能的構成を有する図２の撮影装置が実行する自動送信の電源管理処理の流れを説明するフローチャートである。
【図５】自動送信の電源管理処理のうち、自動送信の延長表示処理による表示例である。
【図６】自動送信の電源管理処理のうち、自動送信の延長表示処理による表示例である。
【発明を実施するための形態】
【０００９】
以下、本発明の実施形態について、図面を用いて説明する。
【００１０】
図１は、本発明の一実施形態に係る画像転送システムのシステム構成を示すシステム構成図である。
画像送信システムＳは、図１に示すように、撮影装置１と、携帯端末装置２とを備える。
画像送信システムＳでは、撮影装置１で撮影された画像（以下、「撮影画像」という。）を、撮影後に、外部装置である携帯端末装置２に自動的に送信する機能を有する。
本実施形態においては、撮影装置１は、撮影画像のうち、（図中ハッチングで示した）送信対象となっている撮影画像のみを携帯端末装置２に送信する。撮影装置１では、撮影画像の送信対象と送信状況を撮影画像のＩＤで管理する送信対象リストを保持しており、当該送信対象リストを参照して、撮影画像の送信を行う。即ち、撮影装置１では、送信対象リストに記憶される未送信ＩＤに基づいて、対応する撮影画像を携帯端末装置２に送信する。なお、送信対象への設定は、例えば、撮影時の設定（「自動送信設定：入／切」）等に基づき行われる。
【００１１】
撮影装置１における自動送信の電源管理機能は以下の処理を複合したシステムを構築して実現している。
（１）自動送信の延長可否の判断処理
（２）自動送信の延長表示処理
（３）延長のタイムアウト処理
（４）延長時の電源キー押下の制御処理
【００１２】
また、本実施形態の画像送信システムＳにおいては、撮影装置１では、画像の送信にあたり、２つの通信方式を用いる。即ち、高速でありファイルの送受信に適した無線通信方式（以下、「第１通信方式」という。）と、低速であるが省電力であり常時接続に適した無線通信方式（以下、「第２通信方式」という。）との通信方式で、画像の送信を行う。
なお、本実施形態において、第１通信方式は、無線ＬＡＮ（Ｌｏｃａｌ  Ａｒｅａ  Ｎｅｔｗｏｒｋ）のうちＷｉ−Ｆｉ（Ｗｉｒｅｌｅｓｓ  Ｆｉｄｅｌｉｔｙ）の通信規格に基づいた通信方式を用いる。また、第２通信方式は、Ｂｌｕｅｔｏｏｔｈ  ｌｏｗ  ｅｎｅｒｇｙ／Ｂｌｕｅｔｏｏｔｈ  ＬＥ（商標）（以下、「ＢＬＥ」という。）の通信規格に基づいた通信方式を用いる。
【００１３】
本実施形態の画像送信システムＳにおいて撮影画像の自動送信機能を発揮する場合には、撮影装置１と携帯端末装置２の間で、第２通信方式であるＢＬＥで通信が確立した状態（常時接続状態）で行われる。即ち、撮影装置１と携帯端末装置２との間で、第２通信方式であるＢＬＥで接続がされていることが前提となって撮影画像の自動送信機能が発揮される。
具体的には、撮影装置１から、携帯端末装置２に対して、第２通信方式での通信を介して、第１通信方式であるＷｉ−Ｆｉでの通信を確立するように指示（制御信号）を出して、撮影装置１と携帯端末装置２との間で第１通信方式であるＷｉ−Ｆｉでの通信を確立する。なお、本実施形態においては、撮影装置１では、Ｗｉ−Ｆｉにおいて親機となるようにし、携帯端末装置２では、第１通信方式であるＷｉ−Ｆｉにおいて子機となるようにして、撮影装置１と携帯端末装置２の１対１の直接通信で通信を確立する。
その後、撮影装置１から、携帯端末装置２に対して、第１通信方式で、画像を送信する。これにより、携帯端末装置２では、操作を行うことなく、第１通信方式で、画像を受信することができるようになる。
【００１４】
さらに、携帯端末装置２では、撮影装置１から受信した撮影画像を、例えば、記憶・管理したり、他の外部機器との画像の共有を目的として、クラウドサーバにアップロードしたりする等の撮影画像の外部装置での活用がなされる。
【００１５】
図２は、本発明の一実施形態に係る撮影装置１及び携帯端末装置２のハードウェアの構成を示すブロック図である。
撮影装置１は、例えばデジタルカメラとして構成される。
【００１６】
撮影装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、第１通信部２０と、第２通信部２１と、ドライブ２２と、電源部２３と、を備えている。
【００１７】
ＣＰＵ１１は、ＲＯＭ１２に記録されているプログラム、又は、記憶部１９からＲＡＭ１３にロードされたプログラムに従って各種の処理を実行する。
【００１８】
ＲＡＭ１３には、ＣＰＵ１１が各種の処理を実行する上において必要なデータ等も適宜記憶される。
【００１９】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、第１通信部２０、第２通信部２１、ドライブ２２及び電源部２３が接続されている。
【００２０】
撮像部１６は、図示はしないが、光学レンズ部と、イメージセンサと、を備えている。
【００２１】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２２】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮影画像のデータ」とも呼ぶ。撮影画像のデータは、ＣＰＵ１１や図示しない画像処理部等に適宜供給される。
【００２３】
入力部１７は、各種釦等で構成され、ユーザの指示操作に応じて各種情報を入力する。
出力部１８は、ディスプレイやスピーカ等で構成され、画像や音声を出力する。
【００２４】
記憶部１９は、ハードディスク或いはフラッシュメモリ等で構成され、各種画像のデータを記憶する。
【００２５】
第１通信部２０は、高速でありファイルの送受信に適した無線通信方式（以下、「第１通信方式」という。）で外部装置（本実施形態においては、携帯端末装置２）との間で行う通信を制御する。本実施形態においては、第１通信方式は、無線ＬＡＮ（Ｌｏｃａｌ  Ａｒｅａ  Ｎｅｔｗｏｒｋ）のうちＷｉ−Ｆｉ（Ｗｉｒｅｌｅｓｓ  Ｆｉｄｅｌｉｔｙ）の通信規格に基づいた通信方式を用いる。
【００２６】
第２通信部２１は、低速であるが省電力であり常時接続に適した無線通信方式（以下、「第２通信方式」という。）で外部装置（本実施形態においては、携帯端末装置２）との間で行う通信を制御する。本実施形態においては、第２通信方式は、Ｂｌｕｅｔｏｏｔｈ  Ｌｏｗ  Ｅｎｅｒｇｙ／Ｂｌｕｅｔｏｏｔｈ  ＬＥ（以下、「ＢＬＥ」という。）の通信規格に基づいた通信方式を用いる。
【００２７】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２８】
電源部２３は、例えば、リチウムイオン二次電池により構成され、電源回路（図示せず）を介して、撮影装置１に駆動用の電力を供給する電力供給源であり、撮影装置１の駆動源としての電流を撮影装置１の各構成へ供給する。電源部２３は、ＣＰＵ１１により制御され、例えば、電源オフ状態において、出力部１８等への電源の供給を停止して表示出力をオフして、第１通信部２０や第２通信部２１等の通信における電源の供給を維持して、電源オフ状態においても画像送信を可能に制御される。
【００２９】
また、携帯端末装置２は、例えばタブレット端末として構成される。
なお、ハードウェアの構成については、撮影装置１と同様であるため省略する。以下、撮影装置１と携帯端末装置２におけるハードウェアを説明として用いる場合には、撮影装置１には、符号の末尾に「−１」を付すものとし、携帯端末装置２には符号の末尾に「−２」を付すものとする。即ち、撮影装置１は、ＣＰＵ１１−１乃至リムーバブルメディア３１−１と表記するものとし、携帯端末装置２は、ＣＰＵ１１−２乃至リムーバブルメディア３１−２と表記するものとする。
【００３０】
図３は、撮影装置１の機能的構成のうち、自動送信における電源管理処理を実行するための機能的構成を示す機能ブロック図である。
【００３１】
自動送信における電源管理処理を実行する場合には、図３に示すように、ＣＰＵ１１−１において、第１の処理部５１と、第２の処理部５２と、第３の処理部５３と、第４の処理部５４と、が機能する。
【００３２】
また、記憶部１９−１の一領域には、画像記憶部７１と、送信対象リスト記憶部７２と、が設定される。
【００３３】
画像記憶部７１には、撮影を行い撮像部１６から取得し生成された撮影画像のデータが記憶される。
【００３４】
送信対象リスト記憶部７２には、画像記憶部７１に記憶される撮影画像のうち、送信対象となっている撮影画像の送信状況を管理するための送信対象リストが記憶される。送信対象リストには、本実施形態においては、画像の送信状況として、未送信の画像が対応するＩＤで記憶される。対象となる画像の送信が完了すると、送信対象リストからＩＤが削除されることで、画像の送信状況を管理する。即ち、送信対象リストには、送信対象のうち、未送信の画像のＩＤのみが記憶され、非送信対象と、送信対象のうち、送信済みの画像のＩＤは記憶されない。
【００３５】
第１の処理部５１は、自動送信の延長可否の判断処理を行う。
第２の処理部５２は、自動送信の延長表示の処理を行う。
第３の処理部５３は、延長のタイムアウト処理を行う。
第４の処理部５４は、延長時の電源キー押下の制御処理を行う。
【００３６】
次に、動作を説明する。
図４は、図３の機能的構成を有する図２の撮影装置１が実行する電源オフ処理の流れを説明するフローチャートである。
【００３７】
（１）自動送信の延長可否判断処理
送信途中の画像がある場合、自動送信ファイルリストが空になるまで、送信処理を継続する。送信処理が終了した後に、完全に電源オフ状態に移行する。
自動送信ファイルリストにファイルが存在する場合で、自動送信開始から所定の時間（実施例：1分）以内である場合には、送信処理を継続する。
ただし、次の条件の場合には、送信処理を継続しない。
ＢＬＥが接続していないとき（無線LANによる送信トリガが届いていないので、送信できない）
自動送信ファイルリストにファイルが存在する場合でも、自動送信を開始していない場合には、送信処理を開始せずに電源オフする。
【００３８】
（２）自動送信の延長表示処理
上記（１）の送信処理継続状態においては、次の表示が可能である
Ａ:  送信状態の経過をＧＵＩで表示する（図５が表示例となっており、［Ｐｏｗｅｒ］が電源キーに相当する）
Ｂ:  送信残枚数を表示する（図６が表示例となっている）。
Ｃ:  ＬＥＤで送信中を示す点滅状態にする。
Ｄ:  ＬＣＤをオフにして、あたかも電源オフしているかのような表示にする。
本提案の実施例では、ＡまたはＢの表示からまもなく（１０秒）してＤの表示に移行する。Ｃは併用して表示しておく。このことにより、ユーザは送信処理が継続していることを理解するとともに、いつまでもＡ／Ｂの表示が残らないことで、電源オフしたのにカメラがオフしないような印象を軽減することができる。
【００３９】
（３）延長のタイムアウト処理
（１）において送信を継続した場合でも、送信処理が途中で進まない状態になった場合には、一定のタイムアウト時間（実施例：３分）を設け、電源オフする。
このとき、自動送信ファイルリストは、次回使用できるように記録保持しておく。
（当初開発中の仕様ではユーザによるファイルリスト破棄をさせていた→自動送信される画像に「抜け」が生じてしまう）
【００４０】
（４）延長時の電源キー押下制御処理
自動送信延長処理中に、電源キーが押下された場合は、自動送信ファイルリストを保存した上で、直ちに電源オフ状態にする。
【００４１】
［変形例］
（２）において、Ａ／Ｂの表示を省き、すぐにＤの状態にすることにより、ユーザには「自動送信」をより意識させず、通常のカメラと同じような操作感を提供する事が可能である。この時、ＣのＬＥＤ表示も行わないので、延長処理中はユーザには全くオフ状態として認識される。延長処理中の電源キーは、カメラ起動処理を行う。
【００４２】
以上のように構成される撮影装置１においては、送信途中の画像の転送を継続することにより、モバイル端末への送信を早く行うことができる。
【００４３】
また、撮影装置１においては、再送信のために必要な、自動送信起動に関わる電力（主にAP起動の電力）およびモバイル端末での無線LAN接続用の電力を、節約することができる。
【００４４】
また、撮影装置１においては、自動送信ファイルリストを残すことで、モバイル端末側の条件などにより、通信が継続できなかった場合にも、次のカメラ電源オンにて再度送信を試みることができ、自動送信される画像に「抜け」を生じにくい。
【００４５】
また、撮影装置１においては、延長表示中に電源キーが押された時にすぐに電源オフとすることで、次に起動したくなった場合に、素早くカメラをＯＮすることができる。
【００４６】
また、撮影装置１においては、延長表示期間をなるべくすくなくすることで、ユーザーに対して違和感のない電源オフ処理をするカメラを提供することができる。
【００４７】
上述の実施形態では、本発明が適用される撮影装置１は、デジタルカメラを例として説明したが、特にこれに限定されない。
例えば、本発明は、自動送信処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００４８】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００４９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５０】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【００５１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００５２】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００５３】
以下に、本願の出願当初の特許請求の範囲に記載された発明を付記する。
［付記１］
撮像手段により撮像された画像を外部装置に送信する撮影装置であって、
自動送信の延長可否の判断処理を行う第１の処理手段と、
自動送信の延長表示処理を行う第２の処理手段と、
延長のタイムアウト処理を行う第３の処理手段と、
延長時の電源キー押下の制御処理を行う第４の処理手段と、
を備えることを特徴とする撮影装置。
［付記２］
撮像手段と、画像を外部装置に送信する送信手段と、を備える撮影装置で実行される送信制御方法であって、
自動送信の延長可否の判断処理を行う第１の処理と、
自動送信の延長表示処理を行う第２の処理と、
延長のタイムアウト処理を行う第３の処理と、
延長時の電源キー押下の制御処理を行う第４の処理と、
を含むことを特徴とする送信制御方法。
［付記３］
撮像手段と、画像を外部装置に送信する送信手段と、を備える撮影装置を制御するコンピュータに、
自動送信の延長可否の判断処理を行う第１の処理機能、
自動送信の延長表示処理を行う第２の処理機能
延長のタイム案と処理を行う第３の処理機能
延長時の電源キー押下の制御処理を行う第４の処理機能
を実現させることを特徴とするプログラム。
【符号の説明】
【００５４】
１・・・撮影装置，２・・・携帯端末装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・第１通信部，２１・・・第２通信部，２２・・・ドライブ，２３・・・電源部，３１・・・リムーバブルメディア，５１・・・第１の処理部，５２・・・第２の処理部，５３・・・第３の処理部，５４・・・第４の処理部，７１・・・画像記憶部，７２・・・送信対象リスト記憶部，Ｓ・・・画像送信システム
【図１】
2016178427.tif 000003
【図２】
2016178427.tif 000004
【図３】
2016178427.tif 000005
【図４】
2016178427.tif 000006
【図５】
2016178427.tif 000007
【図６】
2016178427.tif 000008